(57)【特許請求の範囲】
【請求項１】
入力された受信信号のパスを検出する検出部と、前記検出部で検出されたパス毎の受信信号を各フィンガに割り当てる割当部と、前記各フィンガから出力された前記パス毎の受信信号の復調結果が合成される合成部と、前記合成部で合成された前記受信信号の合成結果が復号されるチャネル復号部と、前記チャネル復号部で復号され得られた前記受信信号の復号結果に基づき前記受信信号のデータ種別が判定されるデータ種別判定部と、前記受信信号の合成結果と復号結果とに基づき前記受信信号の受信品質を得て、該受信品質と前記データ種別に基づく受信品質の判定基準とを比較し、得られた比較結果に基づき前記割当部に対するフィンガの割当てを指示する信号品質判定部とを備え、
前記受信信号の信号品質に基づき前記受信信号に割り当てられるフィンガ数を増加させたが、前記受信信号に割り当てられるフィンガ数を増加させた後も、当該受信信号の信号品質が所定の範囲内でしか変化しなければ、前記受信信号に割り当てられたフィンガ数を元に戻す
ことを特徴とするＣＤＭＡ受信装置。
【請求項２】
入力された受信信号のパスを検出する検出部と、前記検出部で検出されたパス毎の受信信号を各フィンガに割り当てる割当部と、前記各フィンガから出力された前記パス毎の受信信号の復調結果が合成される合成部と、前記合成部で合成された前記受信信号の合成結果が復号されるチャネル復号部と、前記チャネル復号部で復号され得られた前記受信信号の復号結果に基づき前記受信信号のデータ種別が判定されるデータ種別判定部と、前記受信信号の合成結果と復号結果とに基づき前記受信信号の受信品質を得て、該受信品質と前記データ種別に基づく受信品質の判定基準とを比較し、得られた比較結果に基づき前記割当部に対するフィンガの割当てを指示する信号品質判定部とを備え、
前記受信信号の信号品質に基づき前記受信信号に割り当てられるフィンガ数を減少させたが、前記受信信号に割り当てられるフィンガ数を減少させた後に、当該受信信号の信号品質が所定の品質よりも劣化した場合は、前記受信信号に割り当てられたフィンガ数を元に戻す
ことを特徴とするＣＤＭＡ受信装置。
【請求項３】
入力された受信信号のパスを検出するパス検出ステップと、
検出されたパス毎の受信信号を各フィンガに割り当てる割当てステップと、
前記各フィンガから出力された前記パス毎の受信信号の復調結果が合成される合成ステップと、
合成された前記受信信号の合成結果が復号されるチャネル復号ステップと、
復号され得られた前記受信信号の復号結果に基づき前記受信信号のデータ種別が判定されるデータ種別判定ステップと、
前記受信信号の合成結果と復号結果とに基づき前記受信信号の受信品質を得て、該受信品質と前記データ種別に基づく判定基準とを比較し、前記受信信号に対するフィンガの割当て数を指示する信号品質判定ステップと、
前記受信信号の信号品質に基づき前記受信信号に割り当てられるフィンガ数を増加させたが、前記受信信号に割り当てられるフィンガ数を増加させた後も、当該受信信号の信号品質が所定の範囲内でしか変化しなければ、前記受信信号に割り当てられたフィンガ数を元に戻すステップと
を有することを特徴とするＣＤＭＡ受信装置のパス割当て方法。
【請求項４】
入力された受信信号のパスを検出するパス検出ステップと、
検出されたパス毎の受信信号を各フィンガに割り当てる割当てステップと、
前記各フィンガから出力された前記パス毎の受信信号の復調結果が合成される合成ステップと、
合成された前記受信信号の合成結果が復号されるチャネル復号ステップと、
復号され得られた前記受信信号の復号結果に基づき前記受信信号のデータ種別が判定されるデータ種別判定ステップと、
前記受信信号の合成結果と復号結果とに基づき前記受信信号の受信品質を得て、該受信品質と前記データ種別に基づく判定基準とを比較し、前記受信信号に対するフィンガの割当て数を指示する信号品質判定ステップと、
前記受信信号の信号品質に基づき前記受信信号に割り当てられるフィンガ数を減少させたが、前記受信信号に割り当てられるフィンガ数を減少させた後に、当該受信信号の信号品質が所定の品質よりも劣化した場合は、前記受信信号に割り当てられたフィンガ数を元に戻すステップと
を有することを特徴とするＣＤＭＡ受信装置のパス割当て方法。
【発明の詳細な説明】
【０００１】
【発明の属する技術分野】
本発明は、ＣＤＭＡ受信装置及びその受信装置が有するフィンガへのパスの割当て方法に関するものである。
【０００２】
【従来の技術】
ＣＤＭＡ受信装置が有するレイク受信装置の例として、特開平１１−２６１５２３号公報に示されたものがあり、これを図７に示す。図７は、従来のレイク受信装置を示すブロック図である。
この従来のレイク受信装置は、図７に示すように、同期部１、復調部２〜４、検出部５、合成部６、チャネル復調部７、復調制御部８、レジスタ３１〜３２、比較器３３、シンボルエラーレート出力部３４の９つの機能ブロックで構成されている。
かかる構成により、この従来例では、受信信号の復調のために使用する復調部２〜４の数を、回線条件に応じて適宜変更し得るという特有の機能が実現される。
【０００３】
以下、かかる特有の機能を実現する機能ブロックの構成について説明する。
シンボルエラーレート出力部３４は、現在受信している受信信号に対応する情報元信号の速度が予め定められている複数種類の速度のうちいずれであるかを判定するための手段であり、この従来例では、その出力を回線状態の判定に利用する。
【０００４】
レジスタ３１〜３２は、シンボルエラーレートのしきい値を格納する手段である。このレジスタ３１〜３２の数は、復調部２〜４の数（図７の場合、３つ）Ｎに対して１つ少ない数、すなわちＮ−１個に設定されている。なお、各レジスタ３１〜３２に格納されるしきい値は、回線状態に応じて予め定められた値であり、それらが順番に格納されている。
【０００５】
比較器３３は、シンボルエラーレート出力部３４から入力されるシンボルエラーレートと、各レジスタ３１〜３２に格納されている複数のしきい値とを順番に比較し、比較結果を復調制御部８に与える手段である。なお、この比較器３３の場合も、シンボルエラーレートとしきい値との大小関係が分かれば良いので、各しきい値に対する比較結果はそれぞれ１ビットで与えられるようになっている。また、比較する２つの値が等しい場合における取り扱いも、予め定められているものとする。
【０００６】
復調制御部８は、比較器３３の比較結果に基づいて、復調部２〜４を個別にオンオフ制御する機能の付加された復調制御手段であり、オン制御する復調部２〜４に対しては、割り当て可能な３つの位相値のうち積分値が大きいものを順番に割り当てるよう設定されている。
【０００７】
すなわち、この復調制御部８の場合、オン制御する復調部２〜４の数が１つの場合（いずれの復調部２〜４をオン制御するかは自由）には、検出部５から与えられる３つの位相値のうち対応する積分値が最大となるものを当該オン制御する復調部２〜４に与え、オン制御する復調部２〜４の数が２つの場合には、検出部５から与えられる３つの位相値のうち対応する積分値が大きいものの上位２つを当該オン制御する復調部２〜４に１つずつ個別に与えるように設定されている。
【０００８】
なお、回線条件が悪い場合における復調制御部８の制御動作は、オン制御される３つ全ての復調部２〜４に対し、検出部５から与えられる３つの位相値を１つずつ個別に与えるようになっている。
【０００９】
続いて、以上の構成を有するレイク受信装置についての通信動作を説明する。まず、通信状態が最も良好である場合について説明する。このとき、シンボルエラーレート出力部３４から出力されるシンボルエラーレート値は大きな値となり、比較器３３において比較されるどのしきい値（レジスタ３１〜３２に格納されている）よりも大きくなる。この結果、復調制御部８は、復調部２〜４のうち１つをオン制御するだけでも、十分、復調可能であると判断し、例えば復調部２のみをオン制御し、他の２つの復調部３〜４についてはオフ制御するよう処理を行う。
【００１０】
かくして、オン制御される復調部２に対しては、検出部５から与えられる３つの位相値のうち、最も大きな積分値が得られる位相値が割り当てられることになり、良好な状態で復調された受信信号が合成部６を介してチャネル復号部７に与えられる。かかる動作は、回線状態の劣化がパスメトリックの差分値の縮小として現れるまで継続される。
【００１１】
次に、やや通信状況が劣化した場合について説明する。
このとき、シンボルエラーレート出力部３４から出力されるシンボルエラーレート値は、十分大きな値をとりつつも最良の状態よりは小さな値となる。そして、この値は、比較器３３において比較される２つのしきい値のうち、回線条件のより良好な状態に対応するしきい値を下回るようになる（すなわち、ここでは、差分値が一方のしきい値よりは小さくなるが他のしきい値よりは大きいままとなる）。この結果、復調制御部８は、復調部２〜４のうち２つをオン制御すれば、十分、復調可能であると判断し、例えば復調部２〜３をオン制御し、残る１つの復調部４についてはオフ制御するよう処理を行う。
【００１２】
かくして、オン制御される復調部２〜３に対しては、検出部５から与えられる３つの位相値のうち、最も大きな積分値が得られる位相値と２番目に大きな積分値が得られる位相値がそれぞれ割り当てられることになり、２つの復調部２〜３で復調された受信信号が合成部６で合成された後、チャネル復号部７に与えられる。かかる動作は、回線状態のさらなる劣化がパスメトリックの差分値の縮小として現れるまで継続される。
【００１３】
さらに通信状況が劣化した場合について説明する。
このとき、シンボルエラーレート出力部３４から出力されるシンボルエラーレート値はさらに小さな値となる。そして、この値は、比較器３３において比較される２つのしきい値のいずれに対しても下回るようになる。この結果、復調制御部８は、復調部２〜４の全てをオン制御する必要があると判断し、各復調部２〜４をオン制御するよう処理を行う。
【００１４】
かくして、３つの復調部２〜４のそれぞれにおいて復調された受信信号が合成部６で合成された後、チャネル復号部７に与えられ、所定のビタビ復号処理が行われることになる。かかる動作は、回線状態が回復しシンボルエラーレート値が大きくなるまで継続される。
【００１５】
【発明が解決しようとする課題】
上述のような従来のＣＤＭＡ受信装置では、受信信号のデータ種別に関係なく単一の受信品質に基づき、各データ種別の受信信号を復調部であるフィンガに割り当てていたため、不要なフィンガまでも動作させてしまい、消費電力を抑制することが困難であった。
本発明は、かかる問題点を解決するためになされたものであり、受信信号のデータ種別によって必要とされる受信品質を変化させ、各データ種別の受信信号に割り当てるフィンガの本数を最適に制御し、不要なフィンガを動作させること無く、消費電力を低減させることを目的とするものである。
【００１６】
【課題を解決するための手段】
この発明に係るＣＤＭＡ受信装置は、入力された受信信号のパスを検出する検出部と、検出部で検出されたパス毎の受信信号を各フィンガに割り当てる割当部と、各フィンガから出力されたパス毎の受信信号の復調結果が合成される合成部と、合成部で合成された受信信号の合成結果が復号されるチャネル復号部と、チャネル復号部で復号され得られた受信信号の復号結果に基づき受信信号のデータ種別が判定されるデータ種別判定部と、受信信号の合成結果と復号結果とに基づき受信信号の受信品質を得て、該受信品質とデータ種別に基づく受信品質の判定基準とを比較し、得られた比較結果に基づき割当部に対するフィンガの割当てを指示する信号品質判定部とを備え、受信信号の信号品質に基づき受信信号に割り当てられるフィンガ数を増加させたが、受信信号に割り当てられるフィンガ数を増加させた後も、当該受信信号の信号品質が所定の範囲内でしか変化しなければ、受信信号に割り当てられたフィンガ数を元に戻すものである。
【００１７】
また、この発明に係るＣＤＭＡ受信装置は、入力された受信信号のパスを検出する検出部と、検出部で検出されたパス毎の受信信号を各フィンガに割り当てる割当部と、各フィンガから出力されたパス毎の受信信号の復調結果が合成される合成部と、合成部で合成された受信信号の合成結果が復号されるチャネル復号部と、チャネル復号部で復号され得られた受信信号の復号結果に基づき受信信号のデータ種別が判定されるデータ種別判定部と、受信信号の合成結果と復号結果とに基づき受信信号の受信品質を得て、該受信品質とデータ種別に基づく受信品質の判定基準とを比較し、得られた比較結果に基づき割当部に対するフィンガの割当てを指示する信号品質判定部とを備え、受信信号の信号品質に基づき受信信号に割り当てられるフィンガ数を減少させたが、受信信号に割り当てられるフィンガ数を減少させた後に、当該受信信号の信号品質が所定の品質よりも劣化した場合は、受信信号に割り当てられたフィンガ数を元に戻すものである。
【００１８】
この発明に係るＣＤＭＡ受信装置のパス割当て方法は、入力された受信信号のパスを検出するパス検出ステップと、検出されたパス毎の受信信号を各フィンガに割り当てる割当てステップと、各フィンガから出力されたパス毎の受信信号の復調結果が合成される合成ステップと、合成された受信信号の合成結果が復号されるチャネル復号ステップと、復号され得られた受信信号の復号結果に基づき受信信号のデータ種別が判定されるデータ種別判定ステップと、受信信号の合成結果と復号結果とに基づき受信信号の受信品質を得て、該受信品質とデータ種別に基づく判定基準とを比較し、受信信号に対するフィンガの割当て数を指示する信号品質判定ステップと、受信信号の信号品質に基づき受信信号に割り当てられるフィンガ数を増加させたが、受信信号に割り当てられるフィンガ数を増加させた後も、当該受信信号の信号品質が所定の範囲内でしか変化しなければ、受信信号に割り当てられたフィンガ数を元に戻すステップとを有するものである。
【００１９】
また、この発明に係るＣＤＭＡ受信装置のパス割当て方法は、入力された受信信号のパスを検出するパス検出ステップと、検出されたパス毎の受信信号を各フィンガに割り当てる割当てステップと、各フィンガから出力されたパス毎の受信信号の復調結果が合成される合成ステップと、合成された受信信号の合成結果が復号されるチャネル復号ステップと、復号され得られた受信信号の復号結果に基づき受信信号のデータ種別が判定されるデータ種別判定ステップと、受信信号の合成結果と復号結果とに基づき受信信号の受信品質を得て、該受信品質とデータ種別に基づく判定基準とを比較し、受信信号に対するフィンガの割当て数を指示する信号品質判定ステップと、受信信号の信号品質に基づき受信信号に割り当てられるフィンガ数を減少させたが、受信信号に割り当てられるフィンガ数を減少させた後に、当該受信信号の信号品質が所定の品質よりも劣化した場合は、受信信号に割り当てられたフィンガ数を元に戻すステップとを有するものである。
【００２０】
【発明の実施の形態】
本発明によるＣＤＭＡ受信装置の一実施形態について、図１を用いて説明する。図１は本実施形態のＣＤＭＡ受信装置の構成を示すブロック図である。
図１において、４１は受信したベースバンド信号からパスを検出する検出部である。４２は検出されたパスをどのフィンガに割当てるかを決定する割当部である。４３−１〜４３−ｎはそれぞれ割当てられたパスの復調を行うｎ個のフィンガである。４４はｎ個のフィンガそれぞれによって復調された信号を合成する合成部である。４５は合成された信号の復号を行うチャネル復号部である。４６は合成部４４からの出力とチャネル復号部４５からの出力とから、信号の品質およびその品質の変化を判定する信号品質判定部である。４７は復号された信号からその信号のデータの種別を判定するデータ種別判定部である。
【００２１】
次に、本実施形態のＣＤＭＡ受信装置の動作について説明する。
図１において、検出部４１に入力される信号は、アンテナで受信された信号をダウンコンバートおよびＡ／Ｄ変換したデジタルベースバンド信号である。このベースバンド信号には規定されたタイミングで既知のビットパターンであるパイロット信号が含まれている。検出部４１では、入力されたベースバンド信号と既知のパイロット信号とを比較して、それらの相関をとる。そして、あるタイミングにおけるベースバンド信号と既知のパイロット信号との相関の度合いを示す相関値レベルがあるしきい値以上である場合、そのタイミングにパスがあるものと判断して、その相関値レベルとタイミングとを割当部４２に通知する。
【００２２】
割当部４２では検出部４１で検出されたパスのうち、どのパスをどのフィンガ４３−１〜ｎに割当てるか決定する。例えば、相関値レベルの高いパスから順にフィンガ４３−１〜ｎの数だけ割当てるように決定してもよい。そして、割当部４２は、パスが割当てられたフィンガ４３−１〜ｎが正常に動作するように、各フィンガ４３−１〜ｎの設定を行う。つまり、割当部４２は、割り当てられたパスが検出されるタイミングでフィンガ４３−１〜ｎが正常に動作するように、フィンガ４３−１〜ｎを設定する。
【００２３】
割当部４２におけるフィンガ４３−１〜ｎへのパスの割当ては、図６に示すようなパス割当テーブルを用いて管理される。パス割当テーブルには、検出部４１で得られたパスそれぞれに対して、パスタイミング、パスレベル、割当て情報、割当てフィンガ４３−１〜ｎが設定される。なお、割当て情報は、１または０で表される情報であり、各パスに対するフィンガ４３−１〜ｎの割当て処理で、その割当てに変更があったパスを１、変更のなかったパスを０で表す。なお、初回の割当て時はすべて０が設定される。割当てフィンガ欄にはそのパスが割当てられるフィンガ４３−１〜ｎの番号が格納される。しかし、フィンガ４３−１〜ｎが割当てられなかったパスには０が格納される。
【００２４】
各フィンガ４３−１〜ｎは割当部４２によって設定されたタイミングによって、入力されたベースバンド信号に、逆拡散、振幅の調整、位相の補償等の復調処理を行い、得られた復調信号を出力する。
合成部４４では、各フィンガ４３−１〜ｎから出力された復調信号を合成する。
合成部４４から出力された復調信号は、送信側で符号化された信号であるため、チャネル復号部４５で復調信号の復号を行う。
データ種別判定部４７では、チャネル復号部４５で復号されたデータに含まれるデータの種別を示すデータに基づき、データの種別が判定される。
【００２５】
次に、信号品質判定部４６での信号品質判定手順について、図２を用いて説明する。図２は、信号品質判定部４６の信号品質判定手順を示すフローチャートである。
Ｓ１で信号品質判定部４６は、チャネル復号部４５から出力された出力信号を再び符号化して再符号化データを生成する。このＳ１が終了するとＳ２へ進む。
Ｓ２で信号品質判定部４６は、合成部４４からの出力と再符号化データとを比較し、合成部４４からの出力のシンボルエラーレートを算出する。このＳ２が終了するとＳ３へ進む。
【００２６】
Ｓ３で信号品質判定部４６は、データ種別判定部４７から出力されたデータ種別に基づき、必要なシンボルエラーレートを示す信号品質判定しきい値を、信号品質判定しきい値テーブルから取り出す。このＳ３が終了するとＳ４へ進む。
Ｓ４で信号品質判定部４６は、シンボルエラーレートと信号品質判定しきい値とを比較する。シンボルエラーレートが信号品質判定しきい値より小さい場合はＳ５へ進む。そうでなければＳ６へ進む。
【００２７】
Ｓ５で信号品質判定部４６は、シンボルエラーレートが信号品質判定しきい値よりも小さかったことから、割当部４２に対して“信号品質十分”である信号品質判定結果を通知する。このＳ５が終了するとＳ７へ進む。
Ｓ６で信号品質判定部４６は、シンボルエラーレートが信号品質判定しきい値以上であったことから、割当部４２に対して“信号品質不十分”である信号品質判定結果を通知する。このＳ６が終了するとＳ７へ進む。
【００２８】
Ｓ７で信号品質判定部４６は、今回のシンボルエラーレートと前回のシンボルエラーレートとの差分（（今回のシンボルエラーレート）−（前回のシンボルエラーレート））を求める。このＳ７が終了するとＳ８へ進む。
Ｓ８で信号品質判定部４６は、Ｓ７で求めた差分値が信号品質差分上限値よりも大きいかどうかを判定する。Ｓ７で求めた差分値が信号品質差分上限値よりも大きい場合はＳ１０へ進む。そうでなければＳ９へ進む。
【００２９】
Ｓ９で信号品質判定部４６は、Ｓ７で求めた差分値が信号品質差分下限値よりも小さいかどうか判定する。Ｓ７で求めた差分値が信号品質差分下限値よりも小さい場合はＳ１２へ進む。そうでなければＳ１１へ進む。
Ｓ１０で信号品質判定部４６は、“信号品質向上”の信号品質変化結果を通知する。このＳ１０が終了するとＳ１３へ進む。
【００３０】
Ｓ１１で信号品質判定部４６は、“信号品質変化なし”の信号品質変化結果を通知する。このＳ１１が終了するとＳ１３へ進む。
Ｓ１２で信号品質判定部４６は、“信号品質劣化”の信号品質変化結果を通知する。このＳ１２が終了するとＳ１３へ進む。
Ｓ１３で信号品質判定部４６は、今回のシンボルエラーレートを保存する。
【００３１】
次に、データ種別判定部４７が有する信号品質判定しきい値テーブルについて、その一例を図３示す。図３はデータ種別判定部４７が有する信号品質判定しきい値テーブルである。この信号品質判定しきい値テーブルには、３種類のデータ種別Ａ、Ｂ、Ｃそれぞれに対する信号品質判定しきい値Ｔｈ＿Ａ、Ｔｈ＿Ｂ、Ｔｈ＿Ｃが格納されている。なお、データ種別Ａ〜Ｃとしては例えば、画像データ、音声データ、テキストデータ等がある。
【００３２】
また、信号品質判定しきい値テーブルは、受信信号のシンボルレートや符号化方法によって、そのしきい値を細分化することができる。その場合の信号品質判定しきい値テーブルの一例について図４を用いて説明する。図４はデータ種別判定部４７が有する、より細分化された信号品質判定しきい値テーブルである。
【００３３】
図４において、信号品質判定しきい値テーブルは、符号化方法として畳み込み符号化とターボ符号化との２種類、シンボルレートとしてＳＲ１からＳＲｎのｎ種類、データ種別としてＡ、Ｂ、Ｃの３種類が示されている。符号化方法、シンボルレート、及びデータ種別がそれぞれ指定されると、それらに対応する信号品質判定しきい値Ｔｈ＿ｘｘｘが取り出される。
【００３４】
次に、割当部４２における、信号品質判定部４６からのベースバンド信号に関する信号品質判定結果と信号品質変化結果とを得たときの、パスの割当ての変更手順について図５を用いて説明する。図５は割当部４２におけるパスの割当ての変更手順を示すフローチャートである。
Ｓ２１で割当部４２は、信号品質判定部４６の信号品質判定結果が信号品質十分であるかどうか判定する。信号品質判定結果が信号品質十分である場合はＳ２２へ進む。そうでなければＳ２３へ進む。
【００３５】
Ｓ２２で割当部４２は、信号品質判定部４６からの信号品質判定結果が信号品質十分であったことから、パスのパスレベルを判定するパス判定しきい値を増加幅Δｔｈ１だけ大きくする。このようにすることで、パスレベルが比較的低いパスの復調のために動作するフィンガを停止させ、消費電力を低減させる。しかし、動作するフィンガ数を減らした後に信号の品質が劣化するようであれば、元に戻してもよい。このＳ２２が終了するとＳ２６へ進む。
【００３６】
Ｓ２３で割当部４２は、信号品質判定部４６からの信号品質判定結果が信号品質不十分であったことから、パス判定しきい値を減少幅Δｔｈ２だけ小さくする。このＳ２３が終了するとＳ２４へ進む。
Ｓ２４で割当部４２は、信号品質判定部４６での信号品質の変化において、信号品質が向上したかどうか判定する。信号品質が向上した場合はＳ２６へ進む。そうでなければＳ２５へ進む。
【００３７】
Ｓ２５で割当部４２は、信号品質が向上したと判定されなかったので、前回のフィンガ割当て処理で新規に割当てられたフィンガの割当てを取り消すように、パス割当テーブルの設定を変更する。このＳ２５が終了するとＳ２６へ進む。
Ｓ２６で割当部４２は、Ｓ２２またはＳ２３において変更されたパス判定しきい値と各パスのパスレベルとを比較して、パス判定しきい値よりもパスレベルが大きいパスをフィンガ４３−１〜ｎに割当てる。これに伴い、割当部４２は、パス割当テーブルの設定も変更する。なお、Ｓ２５においてフィンガへの割当てから外されたパスには、再度割当てられることはない。このＳ２６が終了するとＳ２７へ進む。
Ｓ２７で割当部４２は、設定変更されたパス割当テーブルに基づき、フィンガ４３−１〜ｎへのパスの割当てを実際に設定する。
【００３８】
次に、上述のＳ２５におけるパス割当テーブルの設定例について、図６を用いて説明する。図６はパス割当テーブルの設定例である。
図６の表Ｃを、更新前の各パスに対するフィンガ４３−１〜ｎの割当てを示すものとする。この時、表Ｃのパス５の割当て情報欄には１が記録されており、また割当てフィンガ欄にはフィンガ５が記録されていることから、前回のフィンガ割当て処理でこのフィンガ５にパス５が割当てられたことがわかる。
【００３９】
次に、図６の表Ｄは更新後の各パスに対するフィンガ４３−１〜ｎの割当てを示すものとする。この時、Ｓ２５は前回割当てられたフィンガ５の割当てを取り消すようにパス割当テーブルを変更する。その結果、表Ｄのパス５の行の、割当て情報欄には割当て禁止を示す“２”が設定され、割当てフィンガ欄には“０”が設定される。
また、Ｓ２５において、フィンガ４３−１〜ｎの割当てが取り消されたパス、すなわち割当て情報欄に“２”が設定されたパスには、Ｓ２６でフィンガ４３−１〜ｎが割当てられることはない。
【００４０】
なお、パス割当テーブルは、検出部４１から定期的に出力されるパスの情報に基づき、更新されたり、初期化されたりする。
【００４１】
次に、上述のＳ２６において、信号品質が十分であった場合のパス割当テーブルの設定例について、図６を用いて説明する。
図６の表Ａは、更新前の各パスに対するフィンガ４３−１〜ｎの割当てを示すものとする。この図６の表Ａにおいて、パス１〜４は、そのパスレベルがパス判定しきい値よりも大きかったため、フィンガ４３−１〜４が割当てられたことがわかる。
【００４２】
一方、図６の表Ｂは更新後の各パスに対するフィンガ４３−１〜ｎの割当てを示すものとする。この時、Ｓ２６は、変更されたパス判定しきい値と各パスのパスレベルとを比較して、パス判定しきい値よりもパスレベルが大きいパスをフィンガ４３−１〜ｎに割当てるパスの割当て変更処理であり、この処理の結果、表Ｂのパス４は、そのパスレベルが更新された後のパス判定しきい値よりも小さくなったため、フィンガ４３−４の割当てが取り消され、パス４の割当てフィンガの欄が０になっている。
【００４３】
この時、パス４の割当て情報欄には、割当てが変更されたため１が設定される。一方、その他のパスの割当て情報欄には、その割当てに変化がないため、０が設定される。なお、パス判定しきい値が更新されたとしても、そのしきい値と各パスのパスレベルとの大小関係に変化がない場合は、各パスに対する割当てフィンガに変更はなく、割当て情報欄は０となる。
【００４４】
次に、上述のＳ２６において、信号品質が不十分であった場合のパス割当テーブルの設定例について、図６を用いて説明する。
図６の表Ａを、更新前の各パスに対するフィンガ４３−１〜ｎの割当てを示すものとし、またその内容は上述したものと同様とする。
【００４５】
一方、図６の表Ｃは更新後の各パスに対するフィンガ４３−１〜ｎの割当てを示すものとする。この時、Ｓ２６は、変更されたパス判定しきい値と各パスのパスレベルとを比較して、パス判定しきい値よりもパスレベルが大きいパスにはフィンガ４３−１〜ｎを割当てるパスの割当て変更処理であり、この処理の結果、表Ｃのパス５は、そのパスレベルが更新された後のパス判定しきい値よりも大きくなったため、フィンガ４３−５の割当てが追加され、パス５の割当てフィンガ欄がフィンガ５になっている。
【００４６】
この時、パス５の割当て情報欄には、割当てが変更されたため１が設定される。一方、その他のパスの割当て情報欄は、その割当てに変化がないため、０が設定される。なお、パス判定しきい値が更新されたとしても、そのしきい値と各パスのパスレベルとの大小関係に変化がない場合は、各パスに対する割当てフィンガに変更はなく、割当て情報欄は０となる。
【００４７】
以上のように、受信しているベースバンド信号に含まれるデータの種別によって、必要とされる信号の品質を変えることができるため、データ種別によって必要とされる信号品質を満たすのに十分なフィンガ４３−１〜ｎだけを動作させることができ、不要なフィンガ４３−１〜ｎの動作を極力減らすことができ、消費電力の低減を図ることができる。
【００４８】
また、フィンガ４３−１〜ｎへのパス割当てを増やした後に、信号品質の改善が見られなかった場合には、増やしたパスのレベルがパス判定しきい値を越えていたとしても、このパスに対するフィンガの割当てを外す。このため、不要なフィンガ４３−１〜ｎの動作を極力減らすことができ、消費電力の低減を図ることができる。
【００４９】
【発明の効果】
以上のように、この発明に係るＣＤＭＡ受信装置は、入力された受信信号のパスを検出する検出部と、検出部で検出されたパス毎の受信信号を各フィンガに割り当てる割当部と、各フィンガから出力されたパス毎の受信信号の復調結果が合成される合成部と、合成部で合成された受信信号の合成結果が復号されるチャネル復号部と、チャネル復号部で復号され得られた受信信号の復号結果に基づき受信信号のデータ種別が判定されるデータ種別判定部と、受信信号の合成結果と復号結果とに基づき受信信号の受信品質を得て、該受信品質とデータ種別に基づく受信品質の判定基準とを比較し、得られた比較結果に基づき割当部に対するフィンガの割当てを指示する信号品質判定部とを備え、受信信号の信号品質に基づき受信信号に割り当てられるフィンガ数を増加させたが、受信信号に割り当てられるフィンガ数を増加させた後も、当該受信信号の信号品質が所定の範囲内でしか変化しなければ、受信信号に割り当てられたフィンガ数を元に戻すものであり、受信信号のデータ種別によって必要とされる受信品質を変化させ、受信信号の信号品質に応じてフィンガの本数を最適に制御することから、不要なフィンガを動作させること無く、消費電力を低減させることができる。
また、この発明に係るＣＤＭＡ受信装置は、入力された受信信号のパスを検出する検出部と、検出部で検出されたパス毎の受信信号を各フィンガに割り当てる割当部と、各フィンガから出力されたパス毎の受信信号の復調結果が合成される合成部と、合成部で合成された受信信号の合成結果が復号されるチャネル復号部と、チャネル復号部で復号され得られた受信信号の復号結果に基づき受信信号のデータ種別が判定されるデータ種別判定部と、受信信号の合成結果と復号結果とに基づき受信信号の受信品質を得て、該受信品質とデータ種別に基づく受信品質の判定基準とを比較し、得られた比較結果に基づき割当部に対するフィンガの割当てを指示する信号品質判定部とを備え、受信信号の信号品質に基づき受信信号に割り当てられるフィンガ数を減少させたが、受信信号に割り当てられるフィンガ数を減少させた後に、当該受信信号の信号品質が所定の品質よりも劣化した場合は、受信信号に割り当てられたフィンガ数を元に戻すものであり、受信信号のデータ種別によって必要とされる受信品質を変化させ、受信信号の信号品質に応じてフィンガの本数を最適に制御することから、不要なフィンガを動作させること無く、消費電力を低減させることができる。
【００５０】
この発明に係るＣＤＭＡ受信装置のパス割当て方法は、入力された受信信号のパスを検出するパス検出ステップと、検出されたパス毎の受信信号を各フィンガに割り当てる割当てステップと、各フィンガから出力されたパス毎の受信信号の復調結果が合成される合成ステップと、合成された受信信号の合成結果が復号されるチャネル復号ステップと、復号され得られた受信信号の復号結果に基づき受信信号のデータ種別が判定されるデータ種別判定ステップと、受信信号の合成結果と復号結果とに基づき受信信号の受信品質を得て、該受信品質とデータ種別に基づく判定基準とを比較し、受信信号に対するフィンガの割当て数を指示する信号品質判定ステップと、受信信号の信号品質に基づき受信信号に割り当てられるフィンガ数を増加させたが、受信信号に割り当てられるフィンガ数を増加させた後も、当該受信信号の信号品質が所定の範囲内でしか変化しなければ、受信信号に割り当てられたフィンガ数を元に戻すステップとを有するものであり、受信信号のデータ種別によって必要とされる受信品質を変化させ、受信信号の信号品質に応じてフィンガの本数を最適に制御することから、不要なフィンガを動作させること無く、消費電力を低減させることができる。
また、この発明に係るＣＤＭＡ受信装置のパス割当て方法は、入力された受信信号のパスを検出するパス検出ステップと、検出されたパス毎の受信信号を各フィンガに割り当てる割当てステップと、各フィンガから出力されたパス毎の受信信号の復調結果が合成される合成ステップと、合成された受信信号の合成結果が復号されるチャネル復号ステップと、復号され得られた受信信号の復号結果に基づき受信信号のデータ種別が判定されるデータ種別判定ステップと、受信信号の合成結果と復号結果とに基づき受信信号の受信品質を得て、該受信品質とデータ種別に基づく判定基準とを比較し、受信信号に対するフィンガの割当て数を指示する信号品質判定ステップと、受信信号の信号品質に基づき受信信号に割り当てられるフィンガ数を減少させたが、受信信号に割り当てられるフィンガ数を減少させた後に、当該受信信号の信号品質が所定の品質よりも劣化した場合は、受信信号に割り当てられたフィンガ数を元に戻すステップとを有するものであり、受信信号のデータ種別によって必要とされる受信品質を変化させ、受信信号の信号品質に応じてフィンガの本数を最適に制御することから、不要なフィンガを動作させること無く、消費電力を低減させることができる。
【図面の簡単な説明】
【図１】  本発明の実施形態に示すＣＤＭＡ受信装置の構成を示すブロック図である。
【図２】  本発明の実施形態が有する信号品質判定部４６の信号品質判定手順を示すフローチャートである。
【図３】  本発明の実施形態が有するデータ種別判定部４７が有する信号品質判定しきい値テーブルである。
【図４】  本発明の実施形態が有するデータ種別判定部４７が有する、より細分化された信号品質判定しきい値テーブルである。
【図５】  本発明の実施形態が有する割当部４２におけるパスの割当ての変更手順を示すフローチャートである。
【図６】  本発明の実施形態が有するパス割当テーブルの設定例である。
【図７】  従来のレイク受信装置を示すブロック図である。
【符号の説明】
１  同期部、２〜４  復調部、５  検出部、６  合成部、７  チャネル復調部、８  復調制御部、３１〜３２  レジスタ、３３  比較器、３４  シンボルエラーレート出力部、４１  検出部、４２  割当部、４３−１〜４３−ｎ  フィンガ、４４  合成部、４５  チャネル復号部、４６  信号品質判定部、４７  データ種別判定部。
【図１】
0003680736.tif 000002
【図２】
0003680736.tif 000003
【図３】
0003680736.tif 000004
【図４】
0003680736.tif 000005
【図５】
0003680736.tif 000006
【図６】
0003680736.tif 000007
【図７】
0003680736.tif 000008